【手続補正書】
【提出日】平成20年1月16日(2008.1.16)
【手続補正１】
【補正対象書類名】明細書
【補正対象項目名】特許請求の範囲
【補正方法】変更
【補正の内容】
【特許請求の範囲】
【請求項１】  複数のクライアント・システムに向けてメタデータを放送するステップと、
少なくとも複数のクライアントシステムの一部で、特定の放送プログラミングコンテンツ部分に応じて取得されうるコンテンツ評価を通して、自動的にコンテンツ評価インターフェースを該クライアントシステムでそれぞれ生成するため、前記メタデータを処理するステップと、
前記特定の放送プログラミングコンテンツについてのコンテンツ評価を取得するステップと、
複数のクライアント・システムから、前記コンテンツ評価を受信するステップと、
複数のクライアントシステムに特定の放送プログラミングコンテンツから選択された部分を将来の放送時間に自動的に放送するステップとから成る方法であって、
前記メタデータは、まだ将来放送されることがスケジュールされていないが、将来放送されることが考慮された放送プログラミングコンテンツのタイトルを有し、さらに前記メタデータは記述子および／または属性のセットを有し、
選択された特定の放送プログラミングコンテンツは、複数の前記クライアントシステムから受信したコンテンツ評価に応じて自動的に選択され、前記コンテンツ評価は属性関連値および信頼性係数に基づき自動的に選択されることを特徴とする方法。
【請求項２】  放送された前記選択された特定の放送プログラミングコンテンツは、放送用に選択されなかった残された放送プログラミングコンテンツよりも高いコンテンツ評価を有することを特徴とする請求項１記載の方法。
【請求項３】  さらに、前記選択された部分を放送する前に、前記特定の放送プログラミングコンテンツの選択された部分の放送スケジュールを放送するステップを有すること特徴とする請求項１記載の方法。
【請求項４】  複数のクライアント・システムに向けて前記メタデータを放送することに先行して、前記メタデータの放送スケジュールを放送するステップを有すること特徴とする請求項１記載の方法。
【請求項５】  前記複数のクライアントシステムに向けて放送するステップは、低い評価を有する前記特定の放送プログラミングコンテンツの１つよりも先に、高い評価を有する前記特定の放送プログラミングコンテンツの１つを放送するステップを有すること特徴とする請求項１記載の方法。
【請求項６】  放送システムによって放送されるメタデータを、クライアントシステムで受信するステップと、
コンテンツ評価テーブルを介して、前記メタデータにより記述された特定の放送プログラミングコンテンツの少なくとも１つに関する自動的に生成された評価を取得するステップと、
前記放送システムに向けて前記評価を送信するステップと、
将来の放送時間に前記放送システムによって放送される第２の複数の放送プログラミングコンテンツを自動的に受信するステップとから成る方法であって、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記クライアントシステムを介して過去にアクセスされたことのある前記メタデータに含まれる記述子および／または属性値に類似した記述子および／または属性値を持つ放送プログラミングコンテンツの観察により生成された評価を有し、
前記第２の複数の放送プログラミングコンテンツは、特定の放送プログラミングコンテンツの少なくとも１つを有し、前記コンテンツ評価は属性関連値および信頼性係数に基づき自動的に選択されることを特徴とする方法。
【請求項７】  さらに、前記放送システムによって放送されるメタデータ放送スケジュールを受信するステップと、
前記放送システムによって放送される時に前記メタデータを受信するために、前記メタデータ放送スケジュールに応答してアクティブ化されるステップを有することを特徴とする請求項６記載の方法。
【請求項８】  前記コンテンツ評価テーブルに基づいて、前記放送システムによって放送された複数の第２の放送プログラミングコンテンツの１部を格納するステップを有することを特徴とする請求項６記載の方法。
【請求項９】  放送システムによって放送されるメタデータを、クライアントシステムで受信するステップと、
コンテンツ評価テーブルに応答して、前記メタデータにより記述された特定の放送プログラミングコンテンツの少なくとも１つを自動的に評価するステップと、
サーバーシステムに向けて前記評価を送信するステップと、
将来の放送時間に前記放送システムによって放送される第２の複数の放送プログラミングコンテンツを自動的に受信するステップと、
コンテンツ評価テーブルに基づいて将来放送される時間に放送システムによって放送される複数の第２の放送プログラミングコンテンツの一部を受信するステップとから成る方法であって、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記クライアントシステムを介して過去にアクセスされたことのある前記メタデータに含まれる記述子および／または属性値に類似した記述子および／または属性値を持つ放送プログラミングコンテンツの観察により生成された評価を有し、
前記第２の複数の放送プログラミングコンテンツは、特定の放送プログラミングコンテンツの少なくとも１つを有し、
前記コンテンツ評価は属性関連値および信頼性係数に基づき自動的に選択されることを特徴とする方法。
【請求項１０】  さらに、前記放送システムによって放送されるメタデータ放送スケジュールを受信するステップと、
前記放送システムによって放送される時に前記メタデータを受信するために、前記メタデータ放送スケジュールに応答してアクティブ化されるステップを有することを特徴とする請求項９記載の方法。
【請求項１１】    前記複数の第２の放送プログラミングコンテンツの１部を選択的に受信する前に、前記複数の第２の放送プログラミングコンテンツのスケジュールを受信するステップを有することを特徴とする請求項９記載の方法。
【請求項１２】  前記放送システムによって放送された前記第２の複数の放送プログラミングコンテンツの１部を格納するステップを有することを特徴とする請求項９記載の方法。
【請求項１３】  インストラクションを実行する回路を有するプロセッサと、
前記プロセッサに結合され、複数のクライアント・システムにデータを放送するように結合され、さらに前記複数のクライアント・システムからデータを受信するように結合される通信インターフェースと、
前記プロセッサに結合され、インストラクションのシーケンスをストアしているストレージ・デバイスとから構成され、
前記プロセッサによってインストラクションが実行されると、前記プロセッサは：
複数のクライアント・システムに向けて、メタデータを放送し；
複数のクライアント・システムから、生成された前記特定の放送プログラミングコンテンツのコンテンツ評価を受信し；かつ、
前記特定のプログラミングコンテンツの選択された部分を、複数のクライアント・システムから受信した評価に応じて、複数のクライアント・システムに向けて将来の放送時間に放送し、
前記メタデータは、まだ将来放送されることがスケジュールされていないが、将来放送されることが考慮された放送プログラミングコンテンツのタイトルを有し、さらに前記メタデータは記述子および／または属性のセットを有し、
特定の放送プログラミングコンテンツのそれぞれについての前記コンテンツ評価は対応するメタデータによって決められ、
前記コンテンツ評価は属性関連値および信頼性係数に基づき自動的に選択されることを特徴とする装置。
【請求項１４】  放送された前記選択された特定の放送プログラミングコンテンツは、放送するために選択されなかった残された放送プログラミングコンテンツよりも高いコンテンツ評価を有することを特徴とする請求項１３に記載の装置。
【請求項１５】  前記プロセッサはさらに、特定の放送プログラミングコンテンツの一部を放送する前に、前記特定のプログラミングコンテンツの一部の放送スケジュールを放送することを特徴とする請求項１３に記載の装置。
【請求項１６】  前記プロセッサは、複数のクライアントシステムに向けて前記メタデータを放送する前に、前記メタデータのスケジュールを放送することを特徴とする請求
【請求項１７】    インストラクションを実行する回路を有するプロセッサと、
前記プロセッサに結合される通信インターフェースであって、放送システムから放送されるデータを受信するように結合され、さらに前記放送システムに対してデータを送信するように結合される通信インターフェースと、
前記プロセッサに結合され、インストラクションのシーケンスをストアしているストレージ・デバイスとから構成され
前記プロセッサによってインストラクションが実行されると、前記プロセッサは：
放送システムによって放送されるメタデータを受信し；
コンテンツ評価テーブルに応じて、前記メタデータによって記述された前記特定の放送プログラミングコンテンツの少なくとも１つを自動的に評価し；
前記特定の放送プログラミングコンテンツの少なくとも１つについての評価を前記放送システムに向けて送信し；
前記放送システムによって放送される第２複数の放送プログラミングコンテンツを自動的に受信し；かつ、
前記コンテンツ評価テーブルに基づいて前記放送システムによって放送される前記第２の複数の放送プログラミングコンテンツを自動的に格納し、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記装置を介して過去にアクセスされたことのある前記メタデータに含まれる記述子および／または属性値に類似した記述子および／または属性値を持つ放送プログラミングコンテンツの観察により生成された評価を有し、
前記第２の複数の放送プログラミングコンテンツは、特定の放送プログラミングコンテンツの少なくとも１つを有し、
前記コンテンツ評価は属性関連値および信頼性係数に基づき自動的に選択されることを特徴とする装置。
。
【請求項１８】  さらに、前記放送システムによって放送されるメタデータ放送スケジュールを受信するステップと、
前記放送システムによって放送される時に前記メタデータを受信するために、前記メタデータ放送スケジュールに応答してアクティブ化されることを特徴とする請求項１７記載の装置。
【請求項１９】  インストラクションを実行する回路を有するプロセッサと、
前記プロセッサに結合される通信インターフェースであって、放送システムから放送されるデータを受信するように結合され、さらに前記放送システムに対してデータを送信するように結合される通信インターフェースと；
前記プロセッサに結合され、インストラクションのシーケンスをストアしているストレージ・デバイスとから構成され、
前記プロセッサによってインストラクションが実行されると、前記プロセッサは：
放送システムによって放送されるメタデータを受信し；
前記メタデータによって記述された特定放送プログラミングコンテンツの１つについて、コンテンツ評価テーブルに応じて評価し；
前記評価を前記放送システムに向けて送信し；
前記放送システムによって放送される第２の複数の放送プログラミングコンテンツの放送スケジュールを受信し；
前記コンテンツ評価テーブルに基づいて、前記放送システムによって放送される前記第２の複数の放送プログラミングコンテンツの一部を自動的に受信し；かつ、
前記放送システムによって放送される前記第２の複数の放送プログラミングコンテンツの１部を格納し、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記装置を介して過去にアクセスされたことのある前記メタデータに含まれる記述子および／または属性値に類似した記述子および／または属性値を持つ放送プログラミングコンテンツの観察により生成された評価を有し、
前記第２の複数の放送プログラミングコンテンツは、特定の放送プログラミングコンテンツの少なくとも１つを有し、
前記コンテンツ評価は属性関連値および信頼性係数に基づき自動的に選択されることを特徴とする装置。
【請求項２０】  さらに前記プロセッサは、
前記放送システムによって放送されるメタデータ放送スケジュールを受信し、
前記放送システムによって放送される時に前記メタデータを受信するため、前記メタデータ放送スケジュールに応答してアクティブ化されることを特徴とする請求項１９記載の装置。
【請求項２１】  さらに前記プロセッサは、前記第２の複数の放送プログラミングコンテンツの一部を選択的に受信することに先行して、前記第２の放送プログラミングコンテンツの放送スケジュールを受信することを請求項１９記載の装置。
前記プロセッサによってインストラクションが実行されると、前記プロセッサは：
【請求項２２】  インストラクションを有する実行可能なコンピュータ可読記憶媒体であって、プロセッサによって実行されると、前記プロセッサは：
複数のクライアントシステムに向けてメタデータを放送し、
前記複数のクライアントシステムの少なくとも１つから放送プログラミングコンテンツに関する生成されたコンテンツ評価を受信し、
将来の放送時間に前記複数のクライアントシステムに向けて特定の放送プログラミングコンテンツの選択された部分を自動的に放送し、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記コンテンツ評価は属性関連値および信頼性係数に基づき自動的に生成されることを特徴とするコンピュータ可読記憶媒体。
【請求項２３】  将来の放送時間に放送される特定の放送プログラミングコンテンツの選択された部分は、放送に選択されなかった特定の放送プログラミングコンテンツの残り部分よりも高いコンテンツ評価を有することを特徴とする請求項２２に記載のコンピュータ可読記憶媒体。
【請求項２４】  インストラクションを有する実行可能なコンピュータ可読記憶媒体であって、プロセッサによって実行されると、前記プロセッサは：
放送システムによってメタデータを受信し、
前記メタデータによって記述された特定放送プログラミングコンテンツの１つについて、コンテンツ評価テーブルに応じて評価し；
前記評価を前記放送システムに向けて送信し；
前記コンテンツ評価テーブルに基づいて、前記放送システムによって放送される１つないし複数の前記第２の放送プログラミングコンテンツの一部を自動的に受信し；かつ、
前記放送システムによって放送される１つないし複数の前記第２の複数の放送プログラミングコンテンツを格納し、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記クライアントシステムを介して過去にアクセスされたことのある前記メタデータに含まれる記述子および／または属性値に類似した記述子および／または属性値を持つ放送プログラミングコンテンツの観察により生成された評価を有し、
前記コンテンツ評価は属性関連値および信頼性係数に基づき自動的に生成されることを特徴とするコンピュータ可読記憶媒体。
【請求項２５】
前記放送システムによって放送されるメタデータ放送スケジュールを受信し、
前記放送システムによって放送される時に前記メタデータを受信するため、前記メタデータ放送スケジュールに応答してアクティブ化されることをさらに特徴とする請求項２４記載のコンピュータ可読記憶媒体。
【請求項２６】  放送システムと、
前記放送サーバに結合される複数のクライアント・システムから構成されるシステムであって：
前記放送システムは、複数のクライアント・システムにメタデータを放送するように結合されており、
前記複数のクライアント・システムは、前記メタデータによって記述された１つまたは複数の特定の放送プログラミングコンテンツのコンテンツ評価テーブルに応答して評価するように結合されており、
１ないしは複数の前記クライアント・システムは、前記放送システムに対して前記複数のデータ・ファイルの前記評価を送信するように結合されており、
前記放送システムは、前記複数のクライアント・システムから受信した前記評価に応じて前記特定の放送プログラミングコンテンツの一部を自動的に選択するように結合されており、かつ、
前記放送システムは、さらに前記複特定の放送プログラミングコンテンツの選択された一部を自動的に放送するように結合されており、
前記メタデータは、まだ将来放送されることがスケジュールされていないが、将来放送されることが考慮された放送プログラミングコンテンツのタイトルを有し、さらに前記メタデータは記述子および／または属性のセットを有し、
前記評価テーブルは前記メタデータを用いて生成され、前記クライアントシステムを介して過去にアクセスされたことのある前記メタデータに含まれる記述子および／または属性値に類似した記述子および／または属性値を持つ放送プログラミングコンテンツの観察により生成された評価を有し、
前記コンテンツ評価は属性関連値および信頼性係数に基づき自動的に選択されることを特徴とするシステム。
【請求項２７】  前記複数のクライアントシステムは各々、前記複数のクライアントシステムのそれぞれに関連したコンテンツ評価テーブルに応答して、選択された特定の放送プログラミングコンテンツの一部を選択的に格納するように結合されていることを特徴とする請求項２６に記載のシステム。
【請求項２８】  前記複数のクライアントシステムは各々、前記複数のクライアントシステムのそれぞれに関連したコンテンツ評価テーブルに応答して、選択された特定の放送プログラミングコンテンツの一部を選択的に受信するように結合されていることを特徴とする請求項２６に記載のシステム。